(57)【要約】      （修正有）【課題】キーボードを持たないテレビジョン受像装置等において、リモートコントロール装置を使い、効率的に文字入力を行える文字入力方法を実現する。【解決手段】入力文字を複数の文字グループに分類し、テレビジョン受像装置等に表示する文字入力画面を第１階層文字表示画面と第２階層表示画面群に分け、前記第１階層文字表示画面には各々の文字グループの代表文字入力ボタン群を表示し、前記第２階文字層表示画面には文字グループ毎の文字入力ボタン群を表示し、リモートコントロール装置にタッチパッドを設け、前記タッチパッドをなぞる指の軌跡を用いて、前記第１階層文字表示画面内の入力ボタンの選択、前記第２階層文字表示画面の表示および入力ボタンの選択を行い、さらに、前記タッチパッドから指を離したタイミングで選択されている文字を入力するようにした。【選択図】図１
2011053853.tif 000002
【特許請求の範囲】
【請求項１】
文字入力画面を表示する情報表示装置と、該情報表示装置で表示される文字入力画面の文字入力のための操作を制御する制御端末とで構成される文字入力システムであって、
前記制御端末は、
文字入力のための操作情報が入力される操作部と、
前記操作部で入力される操作情報を送信する送信部を備え、
前記情報表示装置は、
前記送信部で送信される操作情報を受信する受信部と、
前記文字入力画面として、複数のグループに分類された各文字群のうちの各代表文字を表示する第１階層文字表示画面と、該各代表文字で代表される各文字群を表示する第２階層文字表示画面を表示する表示部と、
前記表示部で、第１階層文字表示画面を表示させ、前記受信部で受信される操作情報が、各代表文字のうち１つの代表文字が選択される第１の操作情報である場合に、第２階層文字表示画面として選択された1つの代表文字で代表される文字群を表示させ、前記受信部で受信される操作情報が、表示された文字群のうち１つの文字が選択される第２の操作情報である場合に、選択された文字を入力文字として表示させる表示制御部を備えることを特徴とする文字入力システム。
【請求項２】
前記操作部は、ユーザが指をタッチし、スライドし、離すことにより操作情報が入力されるタッチパネルであり、
前記表示制御部は、前記受信部で受信される操作情報に基づいて、前記表示部で表示される文字入力画面に、前記タッチパネル上でタッチされる指の動きに連動するポインタを表示させ、
前記第１の操作情報は、該ポインタが１つの代表文字上で一定時間以上動かないように指がタッチされて入力される情報であり、
前記第２の操作情報は、該ポインタが１つの文字上にあるときに、指が離れて入力される操作情報であることを特徴とする請求項１に記載の文字入力システム。
【請求項３】
前記制御端末は、タッチパネルから指を離してから再度タッチされるまでのタップ時間を計測するタイマーを備え、
前記送信部は、前記タイマーで計測されるタップ時間が所定時間より短い場合にタップアップ情報として送信し、
前記表示制御部は、選択された文字を入力文字として表示させた後、前記受信部により、前記タップアップ情報を受信しない場合は、前記第２階層文字表示画面の表示を中止させて、前記受信部により、前記タップアップ情報を受信する場合は、前記第２階層文字表示画面の表示を続行させて、引き続き、入力文字の選択を行えるようにすることを特徴とする請求項２に記載の文字入力システム。
【請求項４】
文字入力画面を表示する情報表示装置と、該情報表示装置で表示される文字入力画面の文字入力のための操作を制御する制御端末とで構成される文字入力システムであって、
前記制御端末は、
前記文字入力のための画面として、複数のグループに分類された各文字群のうちの各代表文字を表示する第１階層文字表示画面を表示する表示部と、
文字入力のための操作情報が入力される操作部と、
前記操作部で入力される操作情報を送信する送信部を備え、
前記情報表示装置は、
前記送信部で送信される操作情報を受信する受信部と、
前記文字入力画面として、前記各代表文字で代表される各文字群を表示する第２階層文字表示画面を表示する表示部と、
前記受信部で受信される操作情報が、各代表文字のうち１つの代表文字が選択される第１の操作情報である場合に、第２階層文字表示画面として選択された1つの代表文字で代表される文字群を表示させ、前記受信部で受信される操作情報が、表示された文字群のうち１つの文字が選択される第２の操作情報である場合に、選択された文字を入力文字として表示させる表示制御部を備えることを特徴とする文字入力システム。
【請求項５】
前記制御端末の前記表示部及び前記操作部は、ユーザが指をタッチし、スライドし、離すことにより操作情報が入力されるタッチパネルであり、
前記表示制御部は、前記受信部で受信される操作情報に基づいて、前記表示部で表示される第２階層文字表示画面に、前記タッチパネル上でタッチされる指の動きに連動するポインタを表示させ、
前記第１の操作情報は、前記タッチパネルで表示された第１階層文字表示画面の各代表文字のうち１つの代表文字をタッチされて入力される情報であり、
前記第２の操作情報は、該ポインタが１つの文字上にあるときに、指が離れて入力される操作情報であることを特徴とする請求項４に記載の文字入力システム。
【請求項６】
前記制御端末は、タッチパネルから指を離してから再度タッチされるまでのタップ時間を計測するタイマーを備え、
前記送信部は、前記タイマーで計測されるタップ時間が所定時間より短い場合にタップアップ情報を送信し、
前記表示制御部は、選択された文字を入力文字として表示させた後、前記受信部により、前記タップアップ情報を受信しない場合は、前記第２階層文字表示画面の表示を中止させて、前記受信部により、前記タップアップ情報を受信する場合は、前記第２階層文字表示画面の表示を続行させて、引き続き、入力文字の選択を行えるようにすることを特徴とする請求項５に記載の文字入力システム。
【発明の詳細な説明】
【技術分野】
【０００１】
本発明は、文字入力を行う文字入力システムに係わり、特に、テレビジョン受像機等の表示装置に文字入力画面を表示し、リモートコントロール装置を使って文字入力画面内の文字を選択・入力する文字入力システムに関する。
【背景技術】
【０００２】
近年のテレビジョン受像機では、インターネット接続機能や録画機能が搭載されているものが製品化され、名前や住所、タイトル名等、文字入力を要求される場面が多くある。
【０００３】
従来からテレビジョン受像機の操作に使用されているリモートコントロール装置、いわゆるリモコンでは、ボタンや上下キーで操作するのが一般的であり、文字入力に対応した構成となっていない。そこで、文字入力手段が必要になるが、従来から知られている文字を入力する手段としては、パソコン等で使用されているキーボードを使用する他に、表示画面上にキーボードを表示するソフトキーボード方式がある。
【０００４】
ソフトキーボード方式では、「ひらがな」あるいは「英数字」のキーがテレビジョン画面に表示され、操作者がリモコンの上下キー等を用いて文字を選択し、決定キー等で確定すると文字が入力される。しかしながら、このような、ソフトキーボード方式では、入力したい文字数が多いと、操作者がそれらの文字を探すのに時間がかかり、さらにリモコンのキー操作で文字を選択するので、移動量が大きくなり操作性が低下する。
【０００５】
そこで、リモコン等の少ないボタンで文字を入力する方法として、特許文献１に示される方法がある。この方法は、携帯電話では一般的な方法であり、操作ボタンに複数の文字を割り当て、ボタンを押す回数により入力する文字を決めるものである。
【０００６】
この方法では、１つのボタンに、例えば、日本語の５０音の「あ」行の「あいうえお」が割り当てられており、ボタンを１度押せば「あ」が入力され、２度押せば「い」が入力されるようになっている。
【先行技術文献】
【特許文献】
【０００７】
【特許文献１】特開２００４−２２７５３５号公報
【発明の概要】
【発明が解決しようとする課題】
【０００８】
しかしながら、特許文献１に示されるような方法では、ボタンに複数の文字が割り当てられているため、入力したい文字によっては、ボタンを何度も押さなければならず、さらに、ボタンを押しすぎて入力したい文字を過ぎた場合は、再度入力したい文字が表示されるまで、ボタンを押さなければならない。この為、ユーザがボタン操作に慣れていない場合は、文字入力に非常に時間がかかることになる。
【０００９】
本発明は、かかる問題を考慮した上で、操作者が文字入力を容易にかつ早く入力することが可能な文字入力システムを提供することを目的とする。
【課題を解決するための手段】
【００１０】
上記目的を達成するために、本発明における、文字入力画面を表示する情報表示装置と、該情報表示装置で表示される文字入力画面の文字入力のための操作を制御する制御端末とで構成される文字入力システムにおいては、前記制御端末は、文字入力のための操作情報が入力される操作部と、前記操作部で入力される操作情報を送信する送信部を備え、前記情報表示装置は、前記送信部で送信される操作情報を受信する受信部と、前記文字入力画面として、複数のグループに分類された各文字群のうちの各代表文字を表示する第１階層文字表示画面と、該各代表文字で代表される各文字群を表示する第２階層文字表示画面を表示する表示部と、前記表示部で、第１階層文字表示画面を表示させ、前記受信部で受信される操作情報が、各代表文字のうち１つの代表文字が選択される第１の操作情報である場合に、第２階層文字表示画面として選択された1つの代表文字で代表される文字群を表示させ、前記受信部で受信される操作情報が、表示された文字群のうち１つの文字が選択される第２の操作情報である場合に、選択された文字を入力文字として表示させる表示制御部を備えるようにする。
【００１１】
なお、上記システムにおいて、前記操作部は、ユーザが指をタッチし、スライドし、離すことにより操作情報が入力されるタッチパネルであり、前記表示制御部は、前記受信部で受信される操作情報に基づいて、前記表示部で表示される文字入力画面に、前記タッチパネル上でタッチされる指の動きに連動するポインタを表示させ、前記第１の操作情報は、該ポインタが１つの代表文字上で一定時間以上動かないように指がタッチされて入力される情報であり、前記第２の操作情報は、該ポインタが１つの文字上にあるときに、指が離れて入力される操作情報であることが望ましい。
【００１２】
また、本発明における、文字入力画面を表示する情報表示装置と、該情報表示装置で表示される文字入力画面の文字入力のための操作を制御する制御端末とで構成される別の文字入力システムにおいては、前記制御端末は、前記文字入力のための画面として、複数のグループに分類された各文字群のうちの各代表文字を表示する第１階層文字表示画面を表示する表示部と、文字入力のための操作情報が入力される操作部と、前記操作部で入力される操作情報を送信する送信部を備え、前記情報表示装置は、前記送信部で送信される操作情報を受信する受信部と、前記文字入力画面として、前記各代表文字で代表される各文字群を表示する第２階層文字表示画面を表示する表示部と、前記受信部で受信される操作情報が、各代表文字のうち１つの代表文字が選択される第１の操作情報である場合に、第２階層文字表示画面として選択された1つの代表文字で代表される文字群を表示させ、前記受信部で受信される操作情報が、表示された文字群のうち１つの文字が選択される第２の操作情報である場合に、選択された文字を入力文字として表示させる表示制御部を備えるようにする。
【００１３】
なお、上記システムにおいて、前記制御端末の前記表示部及び前記操作部は、ユーザが指をタッチし、スライドし、離すことにより操作情報が入力されるタッチパネルであり、前記表示制御部は、前記受信部で受信される操作情報に基づいて、前記表示部で表示される第２階層文字表示画面に、前記タッチパネル上でタッチされる指の動きに連動するポインタを表示させ、前記第１の操作情報は、前記タッチパネルで表示された第１階層文字表示画面の各代表文字のうち１つの代表文字をタッチされて入力される情報であり、前記第２の操作情報は、該ポインタが１つの文字上にあるときに、指が離れて入力される操作情報であることが望ましい。
【発明の効果】
【００１４】
本発明によれば、第１階層文字表示画面と第２階層文字表示画面を切り分けて表示させるため、入力文字の選択が容易になる。
【００１５】
さらに、操作部をタッチパネルとすることにより、一度のタッチ操作で入力文字の選択が可能となり、さらに入力文字の選択が容易になる。
【図面の簡単な説明】
【００１６】
【図１】実施例１の文字制御端末の動作環境を示す概観図である。
【図２】実施例１の文字入力装置の構成を示すブロック図である。
【図３】実施例１の第１階層文字入力画面の一例である。
【図４】実施例１の第２階層文字入力画面の一例である。
【図５】実施例１の文字入力装置の動作を説明するフロー図である。
【図６】実施例１の操作説明の為の第１階層文字入力画面の一例である。
【図７】実施例１の操作説明の為の第２階層文字入力画面の一例である。
【図８】実施例１の操作説明の為の第２階層文字入力画面の一例である。
【図９】実施例１の操作説明の為の第２階層文字入力画面の一例である。
【図１０】実施例２の操作説明の為の第２階層文字入力画面の一例である。
【図１１】実施例２の文字入力装置の動作を説明するフロー図である。
【図１２】実施例２の操作説明の為の第２階層文字入力画面の一例である。
【図１３】実施例２の操作説明の為の第２階層文字入力画面の一例である。
【図１４】実施例３の操作説明の為の第２階層文字入力画面の一例である。
【図１５】実施例３の操作説明の為の第２階層文字入力画面の一例である。
【図１６】実施例３の操作説明の為の第２階層文字入力画面の一例である。
【図１７】実施例４の制御端末の構成を示すブロック図である。
【図１８】実施例３の文字入力装置の動作を説明するフロー図である。
【図１９】実施例４の操作説明の為の第２階層文字入力画面の一例である。
【図２０】実施例４の操作説明の為の第２階層文字入力画面の一例である。
【図２１】実施例４の操作説明の為の第２階層文字入力画面の一例である。
【図２２】実施例４の操作説明の為の第２階層文字入力画面の一例である。
【図２３】実施例５の制御端末の一例である。
【図２４】実施例５の制御端末を使用した場合の動作フロー図である。
【発明を実施するための形態】
【００１７】
以下、本発明の実施形態を、図面を用いて以下に説明する。
【実施例１】
【００１８】
図１は本発明の第一の実施例における文字入力システムの動作概念図である。１００は情報表示装置であり、例えば、インターネット接続機能、あるいは録画機能、地域設定機能等が搭載されたテレビジョン受像機であり、各機能設定時あるいはタイトル編集、メール作成時等に文字入力が必要な情報表示装置である。１０１は表示部であり、例えば、液晶ディスプレイやプラズマディスプレイ等の表示装置の表示画面を示している。
【００１９】
２１１は文字入力画面であり、入力文字を選択するボタンなどが表示される。なお、文字入力画面２１１は、情報表示装置１００で文字入力が必要な時に、表示部１０１上に表示される。
【００２０】
１１０は情報表示装置１００を制御する制御端末であり、例えば、テレビジョン受像機等ではリモートコントローラ装置、いわゆるリモコンである。１１１は、情報表示装置１００を制御するボタン入力部であり、電源のオン、オフ操作や、音量のアップ、ダウンやチャンネル選局等を行うボタンが配列されている。
【００２１】
１１２はタッチ操作部であり、例えばタッチパネルやタッチパッド等で、操作者が指１１３でタッチし、タッチした指１１３をスライドさせると、指１１３のタッチおよびタッチアップの状態および移動量、移動方向を検出する。
【００２２】
情報表示装置１００および制御端末１１０の構成を示すブロック図を図２に示す。図１と同じものには同じ番号を付し、説明は省略する。１２０はデータ処理部であり、入力手段であるボタン入力部１１１とタッチ操作部１１２で入力された信号あるいは電圧から、情報表示装置１００に送信するデータに変換する。１２１は無線通信部であり、データ処理部１２０で変換されたデータを、無線で情報表示装置１００に送信する。
【００２３】
情報表示装置１００の２０１は無線通信部であり、制御端末１１０の無線通信部１２１から送信された信号を受信する。ここで、無線通信手段に使用される無線は、例えば、赤外線や、高周波信号等、何でも良い。また、本発明では操作者の利便性を考慮し無線としているが、制御端末１１０と情報表示装置１００を有線で接続してもかまわない。２０２はデータ処理部であり、無線通信手段２０１で受信した信号から、表示装置１００の制御に必要な情報を抽出する。２０３は表示状態制御部であり、２０４は入力ボタン表示処理部、２０５は文字情報変換部であり、表示状態制御部２０３は、現在の表示状況と、データ処理部の信号から、必要に応じて、画面表示に必要な画面データを入力ボタン表示処理部２０４に生成させ、取得し、また、入力文字を表示する場合は文字情報変換部２０５で変換して表示する。２０６は映像処理部であり、表示状態制御部で決められた表示画面の生成あるいは、図示はしていないが、他の映像信号との合成等を行い、表示部２１０に映像を表示させる。以上の構成により、操作者はボタン入力部１１１やタッチ操作部１１２を用いて、情報表示装置１００の表示制御を行うことができる。
【００２４】
入力ボタン表示処理部２０４で生成する表示画面例を図３、図４に示す。図３は文字入力時に最初に表示される第１階層文字表示画面例であり、図４は図３に表示されているいずれかのボタンを選択した場合の入力ボタン第２階層文字表示画面例である。図１と同じものには同じ番号を付し、説明は省略する。図３の４０１は入力された文字を表示する入力文字表示領域、４０２は入力ボタン画像群、４０３は操作位置を示す位置表示画像（ポインタ）を示している。操作者はタッチ操作部１１２に指でタッチし、タッチした指をスライドさせると、指の位置情報が制御端末１１０から情報表示装置１００に送られ、位置表示画像４０３も指の動きに連動して移動する。位置表示画像４０３が入力ボタン画像群４０２のいずれかのボタン上に一定時間以上ある場合、第２階層文字表示画面が表示される。例えば、位置表示画像４０３が「あ」ボタン４０４上に一定時間以上ある場合は、図４の（１）に示すような、「あ」ボタン４０４に対応する「あ」行とこれに関連付けられた情報を表示するボタンを示す第２階層文字表示画面４１０が表示される。また、位置表示画像４０３が「か」ボタン４０５上に一定時間以上ある場合は、図４の（２）に示すような、「か」ボタン４０５に対応する「か」行とこれに関連付けられた情報を表示するボタンを示す第２階層文字表示画面４１１が表示される。入力ボタン画像群４０２に示した「あ」ボタン４０４、「か」ボタン４０５以外のボタンも同様に第２階層をもつが、ここでは図示、説明は省略する。
【００２５】
次に、入力ボタン第１階層表示画面である入力ボタン画像群４０２および入力ボタン第２階層表示画面を用いた文字入力手順について説明する。図５に情報表示装置１００の処理フローを示す。まず、ステップ５０１では、図３で説明した第１階層文字表示画面４０２の表示を開始する。第１階層文字表示画面４０２の表示タイミングは、文字入力が必要な場合に自動的に情報表示装置１００が表示させてもよいし、制御端末１１０の入力ボタンのいずれかが押されることで、情報表示装置１００が表示させてもよい。ステップ５０２では、制御端末１１０から文字入力に必要な操作データを受信し、ステップ５０３では受信したデータから操作者がタッチ操作部１１２にタッチしているか、していないかを判別する。操作者がタッチしている場合は、ステップ５０４でタッチしている部分の移動量と移動方向を検出し、ステップ５０５で検出した移動量と移動方向に位置表示画像４０３を移動させた画像を表示する。図６に、位置表示画像４０３を移動後の表示画面例を示す。図３と同じものには同じ番号を付してあり説明は省略する。６０１は移動前の位置表示画像４０３であり、６０２は位置表示画像４０３の移動量と移動方向を示している。次にステップ５０６では、位置表示画像４０３が入力ボタン上であるかを判断し、さらに、ステップ５０７で現在表示している画面が入力ボタン第２階層文字表示画面であるかどうかを判断する。入力ボタン第２階層文字表示画面でない場合は、ステップ５１３で、例えば、図６の画面例に示すように、位置表示画像４０３が、ボタン上にあり、現在の表示画面が入力ボタン第１階層文字表示画面である場合で、同一ボタン上に一定時間以上配置されていると判断した場合は、ステップ５０８で入力ボタン第２階層文字表示画面を表示する。位置表示画像４０３が同一ボタン上に一定時間未満しか配置されない場合、例えば、指がスライド中である場合はタッチ時間が短い場合は、入力ボタン第２階層文字表示画面を表示せず、入力ボタン第１階層文字表示画面が表示される。さらに、ステップ５１０では、表示されている入力ボタン第２階層文字表示画面を選択表示にする。図７に、表示画面例を示す。図３および図４と同じものには同じ番号を付し、説明は省略する。６１０は選択表示中のボタンであり、他のボタンとは色等を変えることにより、選択中であることを示している。そして、ステップ５０３で、操作者がタッチ操作部１１２から指を離すことによりタッチしていないと判断した場合は、ステップ５１１で選択表示中のボタン有無を判断する。選択表示中のボタンがない場合はステップ５０１に戻り、選択表示中のボタンがある場合は、ステップ５１２で選択表示中のボタンに対応した文字入力処理を行った後、ステップ５０１に戻る。
【００２６】
ここで、例えば、「え」を入力する場合について、図７で説明した第２階層文字表示画面４１０を表示した後の操作方法について説明する。図７の状態で、操作者がタッチ操作部１１２から指を離すことなく下方向にスライドさせると、制御端末１１０から情報表示装置１００に、タッチの移動量および移動方向を含む操作データが送信される。情報表示装置１００では、既に説明したように、ステップ５０２からステップ５０５までで操作者の指の移動量、移動方向に対応した分移動させた位置表示画像４０３を表示する。ここで、制御端末１１０と情報表示装置１００間の操作データの送受信は、操作者がタッチ操作部１１２にタッチして所望のボタンまで指をスライドさせている間はある一定間隔で行われる。図８に操作者が入力したい「え」ボタン上に位置表示画像４０３を移動させた画面例を示す。図３および図４と同じものには同じ番号を付し、説明は省略する。６２０は移動前の位置表示画像４０３であり、６２１は位置表示画像４０３の移動量と移動方向であり、６２２は選択表示中のボタンである。選択表示中のボタン６２２は、操作者が入力したい「え」ボタンである。操作者が「え」を入力する場合は、ここでタッチ操作部１１２から指を離す。図９に、図８の画面状態から操作者がタッチ操作部から指を離した後の画面表示例を示す。図３と同じものには同じ番号を付し、説明は省略する。６３０は入力文字表示領域４０１に表示されている入力文字であり、操作者が入力しようとしていた「え」が表示されている。
【００２７】
このように、本発明の文字入力方法では、操作者がタッチ操作部１１２に指でタッチして、その指をスライドさせ、指をタッチ操作部から離すことにより他の文字が入力可能である。
【００２８】
以上説明したように、本発明の文字制御端末により、操作者は一度のタッチで文字を容易に入力できる。また、一度に表示する文字数を各ボタンに割り当てられた文字のみとすることで、少ない表示文字から容易に入力文字を探すことができる。
【実施例２】
【００２９】
次に、文字種や半角と全角等の切り換えを、一度のタッチで行う入力操作例を説明する。図１０に、「ら」行の入力ボタン第２階層文字表示画面例を示す。図３および図４と同じものには同じ番号を付し、説明は省略する。７００は「ら」行の入力ボタン第２階層文字表示画面例であり、７０１はひらがなとカタカナとの切り換えボタンである。入力ボタン第２階層文字表示画面の表示文字種を切り換える動作フローを図１１に示す。図５と同じものには同じ番号を付し、説明は省略する。ステップ５３０では、ステップ５１０で選択表示したボタンが切り換えボタン７０１か否かを判断し、切り換えボタンであれば、ステップ５３１で、現在の表示文字種がひらがなであればカタカナに、現在の表示文字種がカタカナであればひらがなに切り換える。図１２に、図１０の表示画面例から文字種切り換えを行った後の表示画面例を示す。図３および図４、図１０と同じものには同じ番号を付し、説明は省略する。７１０は文字種切り換え後の第２階層文字表示画面であり、７１１は移動前の位置表示画像、７１２は移動方向および移動量を示す。移動前の位置表示画像７１１から入力切り換えボタン７０１上に移動すると、第２階層文字表示画面のひらがな表示「らりるれりろ」の各ボタンがカタカナ表示「ラリルレロ」の各ボタンに置き換えられる。操作者がさらに指をスライドして入力したい文字ボタン上に位置表示画像を移動させ、指を離すことにより、文字入力ができる。なお、文字切り換えボタンは、ひらがなとカタカナの切り換えボタンに代えて、あるいは追加して、半角と全角との切り換えボタン、大文字と小文字との切り換えボタン等を設けて同様に操作することにより、文字種を切り換えてもよい。図１３に、複数個の文字種切り換えボタンを配した時の表示画面例を示す。図３および図４、図１０と同じものには同じ番号を付し、説明は省略する。７４０は複数個の文字種切り換えボタンを配した時の第２階層文字表示画面であり、７４１は半角と全角との切り換えボタンである。操作者は、タッチ操作部１１２上で指をスライドさせながらカタカナとひらがな、半角と全角との切り換えおよび入力文字の選択を行う。
【００３０】
以上の発明により、容易に文字種を切り換えることが可能になる。
【実施例３】
【００３１】
次に、濁点や半濁点のある行の文字入力方法について説明する。図１４に「は」ボタンに関する第２階層文字表示画面例を示す。図３および図４と同じものには同じ番号を付し、説明は省略する。４５１は「は」ボタンに対応した第２階層文字表示画面である。第２階層文字表示画面４５１においても、図５の動作フローを用いて同様に文字入力が可能ではあるが、「は」行の文字は、それぞれ濁音、半濁音を持つため「あ」行等の第２階層文字表示画面より多くのボタンを表示する必要がある。その分、入力する文字を見つけ出しにくく、また、位置表示画像の移動量が大きくなる。このため、濁点や半濁点のある文字の入力方法として、図１０で説明したように、文字種の切り換えボタンと同様に、濁点、半濁点切り換えボタンを設けて、図１０から図１３での説明した動作と同様にして、濁点、半濁点がついた文字に切り換えるようにしても良い。また、先に濁点や半濁点のない文字を入力し、あとから濁点、半濁点用のボタンを選択入力する方法としてもよい。図１５に「は」ボタンの第２階層文字表示画面例を示す。図３および図４と同じものには同じ番号を付し、説明は省略する。「ば」や「ぱ」を入力する場合は、まず、「は」のところでタッチ操作から指を離し、「は」を入力する。濁点や半濁点は、図１６に示すように、１つのボタンに割り当てられており、文字入力と同様に、タッチ操作部１１２に操作者が指でタッチして、タッチした指をスライドさせることにより、濁点、半濁点を選択して、入力する。
【００３２】
以上説明したように、本発明の文字入力装置では、濁点および半濁点の文字を容易に入力することが可能になる。
【実施例４】
【００３３】
次に、同じ行の文字を連続して入力する入力例について説明する。図１７は本発明の制御端末のブロック図の一例である。図２と同じものは図２と同じ番号を付し、説明は省略する。１６０はタイマー、１６１でデータ処理部であり、データ処理部１６１はタッチ操作部１１２にタッチしている指の位置情報の検出に加えて、タッチ操作部１１２に指がタッチしている状態から、指がタッチ操作部１１２から離れ、再びタッチするまでのタップ時間をタイマー１６０を用いて監視し、前記タップ時間がある一定時間より短い場合は、タップアップ情報として、無線通信部１２１を介して、情報表示装置に送信する。情報表示装置の動作フローを図１８に示す。図５と同じものには同じ番号を付し、説明を省略する。
【００３４】
ステップ５１２で文字入力処理をしたのち、ステップ５３０で、タップ操作か否かを判断する。ここで、タップ操作ではない場合は、図５の処理と同様にステップ５０１の第１階層文字表示画面に戻るが、タップ操作である場合は文字入力画面をかえることなく、そのままの表示状態とする。図１９はステップ５１２の前の第２階層文字入力表示画面例であり、図２０はステップ５３０の後の第２階層文字入力表示画面例である。図１５と同じものは同じ番号を付し、説明は省略する。図１９で、入力ボタン「ひ」上でタッチ操作部１１２から手が離れたと判断し、図２０に示すように入力領域４０１に文字「ひ」４５３が入力される。ここで、タップ操作であると判断されると、第２階層文字入力表示画面４５２がそのまま表示されることになり、操作者はさらに指をタッチ操作部上をスライドさせることにより、表示されている第２階層文字入力表示画面４５２の文字を選択、入力することができる。例えば、図２１に示すように、位置表示画像４０２が「ふ」ボタン上にくるように指をスライドさせ、指をタッチ操作部１１２から離すと、図２２に示すように文字入力領域４０１に「ひ」と「ふ」が入力される。
【００３５】
以上説明した、本発明の入力装置により、同じ第２階層文字入力表示画面内の文字をより容易に連続して入力することが可能になる。
【実施例５】
【００３６】
図２３は、本発明の制御端末の別の例であり、表示画面を備えた制御端末である。１６０は制御端末、１６１は制御端末の表示画面であり、表示画面１６１の上には透明なタッチパネルが配置されている。１６２は第１階層文字表示画面と同様なボタン表示領域である。操作者は、ボタン表示領域１６２の中のボタンをタッチすることにより、情報表示装置１００、あるいは、制御端末の表示画面１６１に、第２階層文字表示画面を表示させる。第２階層文字表示画面を表示させた後は、既に説明したように、指をスライドさせ、指を離すことにより文字入力を行う。
【００３７】
図２３で説明した制御端末を使用した場合の動作フローを図２４に示す。図１８と同じものには同じ番号を付し、説明は省略する。ステップ５６１では、ステップ５０２で受信したデータが、制御端末のボタン入力以外であれば、図１８と同様に処理を行うが、ボタン入力である場合は、次の処理はステップ５０７まで飛ばし、第２階層文字入力画面を表示する時間を短縮することができる。
【符号の説明】
【００３８】
100・・・情報表示装置
１０１・・・表示部
１１０・・・制御端末
１１１・・・入力ボタン群
１１２・・タッチパッド
１１３・・・操作者の指
１２０・・・データ処理部
１２１・・・無線通信部
２０１・・・無線通信部
２０２・・データ処理部
２０３・・・表示状態制御部
204・・・入力ボタン表示処理部
２０５・・・文字情報変換部
２０６・・・映像処理部
２１０・・・表示部
２１１・・・文字入力画面
【図１】
2011053853.tif 000003
【図２】
2011053853.tif 000004
【図３】
2011053853.tif 000005
【図４】
2011053853.tif 000006
【図５】
2011053853.tif 000007
【図６】
2011053853.tif 000008
【図７】
2011053853.tif 000009
【図８】
2011053853.tif 000010
【図９】
2011053853.tif 000011
【図１０】
2011053853.tif 000012
【図１１】
2011053853.tif 000013
【図１２】
2011053853.tif 000014
【図１３】
2011053853.tif 000015
【図１４】
2011053853.tif 000016
【図１５】
2011053853.tif 000017
【図１６】
2011053853.tif 000018
【図１７】
2011053853.tif 000019
【図１８】
2011053853.tif 000020
【図１９】
2011053853.tif 000021
【図２０】
2011053853.tif 000022
【図２１】
2011053853.tif 000023
【図２２】
2011053853.tif 000024
【図２３】
2011053853.tif 000025
【図２４】
2011053853.tif 000026